(57)【要約】【課題】ディスクドライブ装置、あるいはディスクドライブ制御装置にて、ディスクドライブ装置のモーターが停止したことを検知することを目的とする。【解決手段】ディスクドライブ装置１のディスクドライブインターフェースＩＣ７は、モーター回転計測器６にて検知したモーター３が停止したという情報を、ホストインターフェースＩＣ８に通知し、ホストインターフェースＩＣ８は、モーター３が停止したことをホストＣＰＵ９に伝達することで、ディスクドライブ制御装置２は、ディスクドライブ装置１のモーター３が停止したことを検知することが可能である。【選択図】  図１
2004310825.tif 000002
【特許請求の範囲】
【請求項１】
ディスクドライブ装置のモーターの回転を停止させる際に、ディスクドライブ装置のモーターの回転が停止するまで待つことを特徴とするディスクドライブ制御装置。
【請求項２】
ディスクドライブ装置のモーターが停止したことを検知する検知手段を有することを特徴とするディスクドライブ装置。
【請求項３】
ディスクドライブ装置のモーターが停止したことを、ディスクドライブ制御装置へ通知する通知手段を有することを特徴とする請求項２記載のディスクドライブ装置。
【請求項４】
請求項３記載のディスクドライブ装置の通知手段から、ディスクドライブ装置のモーターの回転が停止した通知を取得する取得手段を有することを特徴とする、ディスクドライブ制御装置。
【請求項５】
ディスクドライブ装置のモーターの回転が停止したことをディスクドライブ制御装置使用者に通知する通知手段を有することを特徴とする、請求項１または請求項４記載のディスクドライブ制御装置。
【発明の詳細な説明】
【０００１】
【発明の属する技術分野】
この発明は、ディスクドライブ装置とディスクドライブ制御装置に関するものである。
【０００２】
【従来の技術】
近年、ハードディスクレコーダーなどを中心とした民生機器の分野においても、ディスクドライブが使用される機会が急激に増加してきている。また、ハードディスクドライブ等のディスクドライブ装置は、ディスク面の高密度記録化、大容量化及び、小型化が進んでおり、ディスク面に少しの傷が付いただけでも情報の記録および再生が不可能になることが予想され、ディスク面の保護する技術の構築が急務になっている。
【０００３】
従来、ディスクドライブ内蔵機器の保護機能としては、機器内部に衝撃センサーを備え、ある一定以上の衝撃が検知された場合、ディスクドライブを衝撃に強いスタンバイモードなどに移行させることが行われている。また、衝撃からディスクドライブを保護する手段の具体例として、特許文献１に記載されたものがある。これは、ディスクドライブに対し衝撃が加わりうる機器の使用者の操作を検知し、衝撃の発生に先立ってディスクドライブを衝撃に強いスタンバイモードに移行させ、衝撃からディスクドライブを保護するというものがあった。
【０００４】
【特許文献１】
特開２００２―６２７６３号公報
【０００５】
【発明が解決しようとする課題】
しかしながら上記の従来の構成では、ディスクドライブ装置のモーターが停止したことを検知する手段がなかったので、ディスクドライブ制御機装置あるいはその使用者がディスクドライブ装置の動作が停止していないことを認知することができず、結果としてディスクドライブに衝撃を与える操作を行ってしまうということがあった。
【０００６】
本発明は上記従来の問題点を解決するもので、ディスクドライブ装置のモーターが停止したことを制御機器側が検知する手段を提供することを目的とする。
【０００７】
【課題を解決するための手段】
上述したこの発明の目的を達成する為の請求項１記載の発明は、ディスクドライブ装置のモーターの回転を停止させる際に、ディスクドライブ装置のモーターの回転が、停止するまで待つ構成を有している。
【０００８】
この構成によって、ディスクドライブのモーターが停止したことをディスクドライブ制御装置側が検知する手段を実現することができる。
【０００９】
上述したこの発明の目的を達成する為の請求項２記載の発明は、ディスクドライブ装置のモーターが停止したことを検知する検知手段を備えた構成を有している。この構成によって、ディスクドライブのモーターが停止したことをディスクドライブ装置が検知することを実現することができる。
【００１０】
上述したこの発明の目的を達成する為の請求項３記載の発明は、ディスクドライブ装置のモーターが停止したことを、ディスクドライブ制御装置へ通知する通知手段を備えた構成を有している。
【００１１】
この構成によって、ディスクドライブのモーターが停止したことをディスクドライブが検知し、ディスクドライブ制御装置側へディスクドライブのモーターが停止したことを通知する手段を実現することができる。
【００１２】
上述したこの発明の目的を達成する為の請求項４記載の発明は、請求項３記載のディスクドライブ装置の通知手段から、ディスクドライブ装置のモーターの回転が停止した通知を取得する取得手段を備えた構成を有している。
【００１３】
この構成によって、ディスクドライブのモーターが停止したことを、ディスクドライブ制御装置側が検知することを実現することができる。
【００１４】
上述したこの発明の目的を達成する為の請求項５記載の発明は、ディスクドライブ装置のモーターの回転が停止したことをディスクドライブ制御装置使用者に通知する通知手段を備えた構成を有している。
【００１５】
この構成によって、ディスクドライブのモーターが停止し、ディスクドライブが衝撃に強いモードに完全に移行したことを、ディスクドライブ制御装置使用者に認知させることができ、使用者が意図せずディスクドライブ装置に衝撃が加えることを回避させることを実現することができる。
【００１６】
【発明の実施の形態】
本発明の請求項１に記載の発明は、ディスクドライブ装置のモーターの回転を停止させる際に、ディスクドライブ装置のモーターの回転が停止するまで待つことを特徴としたものであり、この構成によって、ディスクドライブのモーターが停止したことをディスクドライブ制御装置側が検知することができるという作用を有する。
【００１７】
本発明の請求項２に記載の発明は、ディスクドライブ装置のモーターが停止したことを検知する検知手段を有することを特徴としたものであり、この構成によって、ディスクドライブ装置のモーターが停止したことをディスクドライブ装置が検知することができるという作用を有する。
【００１８】
本発明の請求項３に記載の発明は、ディスクドライブ装置のモーターが停止したことを、ディスクドライブ制御装置へ通知する通知手段を有することを特徴としたものであり、この構成によって、ディスクドライブ装置のモーターが停止したことをディスクドライブ制御装置側へ通知することができるという作用を有する。
【００１９】
本発明の請求項４に記載の発明は、請求項３記載のディスクドライブ装置の通知手段から、ディスクドライブ装置のモーターの回転が停止した通知を取得する取得手段を有することを特徴としたものであり、この構成によって、ディスクドライブ装置のモーターが停止したことをディスクドライブ制御装置側が検知することができるという作用を有する。
【００２０】
本発明の請求項５に記載の発明は、ディスクドライブ装置のモーターの回転が停止したことをディスクドライブ制御装置使用者に通知する通知手段を有することを特徴としたものであり、この構成によって、ディスクドライブ装置のモーターが停止したことをディスクドライブ制御装置使用者に通知することができるという作用を有する。
【００２１】
以下、本発明の実施の形態について、図１から図２を用いて説明する。
【００２２】
（実施の形態１）
図２は本発明の実施の形態１におけるディスクドライブ装置１とディスクドライブ制御装置２の構成を示すブロック図である。図１において、ディスクを回転させるためのモーター３、モーター３を制御するモータードライバーＩＣ４、ディスクドライブ装置１全体の制御をつかさどるディスクドライブＣＰＵ５、ディスクドライブ制御装置２とのインターフェース処理をつかさどるディスクドライブインターフェースＩＣ７、ディスクドライブ制御装置２にてディスクドライブ装置１とのインターフェース処理をつかさどるホストインターフェースＩＣ８、ホストインターフェースＩＣ８の制御を行い、ディスクドライブ装置１へ送られるデータ処理を行うホストＣＰＵ９を有している。
【００２３】
以上のように構成されたディスクドライブ装置１とディスクドライブ制御装置２について、図２を用いてその動作を説明する。まず、ディスクドライブ制御装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行い、ホストＣＰＵ９が、ディスクドライブ装置１に対しての命令発行後、モーター３が停止するまでの時間を計測することにより、モーター３が停止したことを検知することができるというものである。
【００２４】
（実施の形態２）
図１は本発明の実施の形態２におけるディスクドライブ装置１とディスクドライブ制御装置２の構成を示すブロック図である。図１において、ディスクを回転させるためのモーター３、モーター３を制御するモータードライバＩＣ４、ディスクドライブ装置１全体の制御を行うディスクドライブＣＰＵ５、モーター３の回転が停止したことの検知手段としてのモーター回転計測器６、ディスクドライブ制御装置２とのインターフェース処理を行う通知手段としてのディスクドライブインターフェースＩＣ７、ディスクドライブ制御装置２にてディスクドライブ装置１とのインターフェース処理を行う取得手段としてのホストインターフェースＩＣ８、ホストインターフェースＩＣ８の制御を行い、ディスクドライブ装置１へ送られるデータ処理を行うホストＣＰＵ９を有している。
【００２５】
またここで、ディスクドライブインターフェースＩＣ７は、モーター回転計測器６にて検知したモーター３が停止したという情報をホストインターフェースＩＣ８に通知する通知手段を、ホストインターフェースＩＣ８は、ディスクインターフェースＩＣ７よりモーター３が停止したという情報の通知を取得する取得手段を有する。
【００２６】
以上のように構成されたディスクドライブ装置１とディスクドライブ制御装置２について、図１を用いてその動作を説明する。まず、ディスクドライブ制御装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行い、ディスクドライブＣＰＵ５は、モーター回転計測器６にて検知したモーター３の回転停止という情報を取得し、ディスクドライブインターフェースＩＣ７を通じ、ホストインターフェースＩＣ８に通知し、ホストインターフェースＩＣはモーター３の回転停止という情報を取得し、ホストＣＰＵ９に伝達することで、ディスクドライブ制御装置２は、ディスクドライブ装置１のモーター３が停止したことを認知することができるというものである。
【００２７】
なお、以上の説明ではディスクドライブ装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行うとしたが、モーター３を停止させるまでの処理は上記以外の手順でも行ってもよい。
【００２８】
また、上記ではモーター３が停止したことを検出するための手段としてモーター回転計測器６としたが、モーター３が停止したことを検出するための手段は上記に限らないものとする。
【００２９】
（実施の形態３）
図３は本発明の実施の形態３におけるディスクドライブ装置１とディスクドライブ制御装置２の構成を示すブロック図である。図３において、ディスクを回転させるためのモーター３、モーター３を制御するモータードライバーＩＣ４、ディスクドライブ全体の制御をつかさどるディスクドライブＣＰＵ５、ディスクドライブ制御装置２とのインターフェース処理をつかさどるディスクドライブインターフェースＩＣ７、ディスクドライブ制御装置２にてディスクドライブ装置１とのインターフェース処理をつかさどるホストインターフェースＩＣ８、ホストインターフェースＩＣ８の制御を行い、ディスクドライブ装置１へ送られるデータ処理を行うホストＣＰＵ９、モーター３の回転が停止したことをディスクドライブ制御装置２の使用者に通知するための通知手段としての表示装置１０を有している。
【００３０】
以上のように構成されたディスクドライブ装置１とディスクドライブ制御装置２について、図３を用いてその動作を説明する。まず、ディスクドライブ制御装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行い、ホストＣＰＵ９が、ディスクドライブ装置１に対しての命令発行後、モーター３が停止するまでの時間を計測することにより、モーター３が停止したことを認知し、ホストＣＰＵ９は表示装置１０としての液晶表示部に、ディスクドライブ装置１のモーター３が停止したことを示す表示を行う。
【００３１】
なお、上記では表示装置１０として液晶表示部としたが、ディスクドライブ装置２使用者が、ディスクドライブ装置１のモーター３が停止していることが認知できる表示であれば、その表示方法は問わないものとする。
【００３２】
（実施の形態４）
図４は本発明の実施の形態４におけるディスクドライブ装置１とディスクドライブ制御装置２の構成を示すブロック図である。図４において、ディスクを回転させるためのモーター３、モーター３を制御するモータードライバーＩＣ４、ディスクドライブ装置１全体の制御をつかさどるディスクドライブＣＰＵ５、モーター３の回転が停止したことの検知手段としてのモーター回転計測器６、ディスクドライブ制御装置２とのインターフェース処理をつかさどるディスクドライブインターフェースＩＣ７、ディスクドライブ制御装置２にてディスクドライブ装置１とのインターフェース処理をつかさどるホストインターフェースＩＣ８、ホストインターフェースＩＣ８の制御を行い、ディスクドライブ装置１へ送られるデータ処理を行うホストＣＰＵ９、モーター３の回転が停止したことをディスクドライブ制御装置２の使用者に通知する通知手段としての表示装置１０を有している。
【００３３】
またここで、ディスクドライブインターフェースＩＣ７は、モーター回転計測器６にて検知したモーター３が停止したという情報をホストインターフェースＩＣ８に通知する通知手段を、ホストインターフェースＩＣ８は、ディスクインターフェースＩＣ７よりモーター３が停止したという情報の通知を取得する取得手段を有する。
【００３４】
以上のように構成されたディスクドライブ装置１とディスクドライブ制御装置２について、図４を用いてその動作を説明する。まず、ディスクドライブ制御装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行い、ディスクドライブＣＰＵ５は、モーター回転計測器６にて検知したモーター３の回転停止という情報を取得し、ディスクドライブインターフェースＩＣ７を通じ、ホストインターフェースＩＣ８に通知し、ホストインターフェースＩＣ８はモーター３の回転停止という情報を取得し、ホストＣＰＵ９に伝達することで、ディスクドライブ制御装置２は、ディスクドライブ装置１のモーター３が停止したことを認知し、ホストＣＰＵ９は表示装置１０としての液晶表示部に、ディスクドライブ装置１のモーター３が停止したことを示す表示を行うことができるというものである。
【００３５】
なお、以上の説明ではディスクドライブ装置２のＣＰＵ９は、ホストインターフェースＩＣ８を通じ、ディスクドライブ装置１のディスクドライブインターフェースＩＣ７に対しモーター３を停止させる命令を出し、ディスクドライブインターフェースＩＣ７は受け取った命令の内容をディスクドライブＣＰＵ５へ伝え、ディスクドライブＣＰＵ５は、モータードライバーＩＣ４に対し、モーター３を停止させるための制御信号を送り、モータードライバーＩＣ４は、モーター３を停止させる処理を行うとしたが、モーター３を停止させるまでの処理は上記以外の手順でも行ってもよい。
【００３６】
また、上記では表示装置１０を液晶表示部としたが、ディスクドライブ装置２使用者が、ディスクドライブ装置１のモーター３が停止していることが認知できる表示であれば、その表示方法は問わないものとする。
【００３７】
【発明の効果】
以上のように本発明は、
第１に、ディスクドライブ装置のモーターの回転を停止させる際に、ディスクドライブ装置のモーターの回転が停止したことを検知することができるディスクドライブ制御装置を提供する。
【００３８】
第２に、ディスクドライブ装置のモーターの回転を停止させる際に、ディスクドライブ装置のモーターの回転が停止したことを検知することができるディスクドライブ装置を提供する。
【００３９】
第３に、ディスクドライブ装置のモーターの回転を停止したという情報を、ディスクドライブ制御装置へ通知することができるディスクドライブ装置を提供する。
【００４０】
第４に、ディスクドライブ装置のモーターの回転を停止したという情報を、ディスクドライブ装置より取得することができるディスクドライブ装置を提供する。
【００４１】
５に、ディスクドライブ装置のモーターの回転が停止したという情報を、ディスクドライブ制御装置使用者に通知することができるディスクドライブ制御装置を提供する。
【００４２】
という優れた効果が得られる。
【図面の簡単な説明】
【図１】本発明の実施の形態２におけるディスクドライブ装置とディスクドライブ制御装置のブロック図
【図２】同実施の形態１におけるディスクドライブ装置とディスクドライブ制御装置のブロック図
【図３】同実施の形態３におけるディスクドライブ装置とディスクドライブ制御装置のブロック図
【図４】同実施の形態４におけるディスクドライブ装置とディスクドライブ制御装置のブロック図
【符号の説明】
１  ディスクドライブ装置
２  ディスクドライブ制御装置
３  モーター
４  モータードライバーＩＣ
５  ディスクドライブＣＰＵ
６  モーター回転計測器
７  ディスクドライブインターフェースＩＣ
８  ホストインターフェースＩＣ
９  ホストＣＰＵ
１０  表示装置
【図１】
2004310825.tif 000003
【図２】
2004310825.tif 000004
【図３】
2004310825.tif 000005
【図４】
2004310825.tif 000006